(57)【要約】【課題】ランプの電源がオフされた後の冷却時間を管理することにより、ランプの再点灯時に、ランプ温度に応じて冷却の必要性を判断し、ランプを劣化させることなく再点灯を行うこと。【解決手段】時間管理部２７はランプ１１が自然冷却される場合の温度変化特性に対応して出力電圧ＶＣが変化するように構成される。そしてランプ１１をオフした後、再度オンする時、時間管理部２７の出力電圧ＶＣに基づいて、ランプ１１の温度が所定値よりも高いと判定された場合には、ファン５によるランプ１１の冷却を行ってから、ランプを点灯する動作に入る。また、ランプ１１の温度が所定値よりも低いと判定された場合には、ファン５によるランプ１１の冷却を行うことなく、ランプ１１を即時点灯するように構成される。【選択図】図１
2004348109.tif 000002
【特許請求の範囲】
【請求項１】
ランプから放射される光を変調して投写するように構成された投写型表示装置であって、
前記ランプの冷却を行う冷却手段と、
前記ランプへの供給電力がオフされてからの経過時間を管理する時間管理手段と、
前記ランプをオフした後に再度オンする際に、前記時間管理手段の出力に基づいて、前記ランプの温度が所定温度よりも高い場合には、前記冷却手段によって前記ランプの冷却を行ってから前記ランプを点灯させ、前記ランプの温度が前記所定温度よりも低い場合には、前記ランプの点灯前に前記冷却手段による冷却を行うことなく前記ランプを点灯させる制御手段と、
を備える投写型表示装置。
【請求項２】
前記制御手段は、前回の前記ランプのオフ状態の正常／異常を記憶するように構成されており、前記ランプをオフした後に再度オンする際に、前回の前記ランプのオフ状態が正常である場合には前記ランプを即時点灯させ、前回の前記ランプのオフ状態が異常である場合には、前記時間管理手段の出力に基づいて前記ランプの温度が前記所定温度よりも高いか低いかの判定動作を行うことを特徴とする、請求項１に記載の投写型表示装置。
【請求項３】
前記制御手段は、前記ランプをオンする前、常に、前記時間管理手段の出力に基づいて前記ランプの温度が前記所定温度よりも高いか低いかの判定動作を行うことを特徴とする、請求項１に記載の投写型表示装置。
【請求項４】
前記制御手段は、前記時間管理手段の出力に基づいて、前記冷却手段による前記ランプの冷却時間を変化させることを特徴とする、請求項１乃至３のいずれかに記載の投写型表示装置。
【請求項５】
前記時間管理手段は、コンデンサと抵抗とを備えて、前記ランプがオンしている期間に前記コンデンサの充電が行われ、前記ランプがオフしている期間に前記抵抗を介して前記コンデンサの放電が行われるように構成されていることを特徴とする、請求項１に記載の投写型表示装置。
【請求項６】
前記コンデンサの放電によって前記コンデンサの出力電圧が所定値になる時間と、自然冷却によって前記ランプの温度が前記所定温度になる時間とが一致するように設定されていることを特徴とする、請求項５に記載の投写型表示装置。
【請求項７】
前記制御手段は、前回の前記ランプのオフ状態の正常／異常を記憶するように構成されており、前記ランプをオフした後に再度オンする際に、前回の前記ランプのオフ状態が正常である場合には前記ランプを即時点灯させ、前回の前記ランプのオフ状態が異常である場合には、前記コンデンサの出力電圧に基づいて前記ランプの温度が前記所定温度よりも高いか低いかの判定動作を行うことを特徴とする、請求項５又は６に記載の投写型表示装置。
【請求項８】
前記制御手段は、前記ランプをオンする前、常に、前記コンデンサの出力電圧に基づいて前記ランプの温度が前記所定温度よりも高いか低いかの判定動作を行うことを特徴とする、請求項５又は６に記載の投写型表示装置。
【請求項９】
前記制御手段は、前記コンデンサの出力電圧に基づいて、前記冷却手段による前記ランプの冷却時間を変化させることを特徴とする、請求項５乃至８のいずれかに記載の投写型表示装置。
【請求項１０】
前記時間管理手段は、時間をカウントするタイマーＩＣを備えて、前記ランプがオフした時点で前記タイマーＩＣによるカウント動作が始まるように構成されていることを特徴とする、請求項１に記載の投写型表示装置。
【請求項１１】
前記制御手段は、前記ランプをオフした後に再度オンする際に、前記タイマーＩＣによるカウント時間が所定時間よりも短い場合は、前記ランプの温度が前記所定温度よりも高いと判定し、前記タイマーＩＣによるカウント時間が前記所定時間よりも長い場合は、前記ランプの温度が前記所定温度よりも低いと判定することを特徴とする、請求項１０に記載の投写型表示装置。
【請求項１２】
前記所定時間は、自然冷却によって前記ランプの温度が前記所定温度になる時間に一致するように設定されていることを特徴とする、請求項１１に記載の投写型表示装置。
【請求項１３】
前記制御手段は、前回の前記ランプのオフ状態の正常／異常を記憶するように構成されており、前記ランプをオフした後に再度オンする際に、前回の前記ランプのオフ状態が正常である場合には前記ランプを即時点灯させ、前回の前記ランプのオフ状態が異常である場合には、前記タイマーＩＣから出力される時間データに基づいて前記ランプの温度が前記所定温度よりも高いか低いかの判定動作を行うことを特徴とする、請求項１０乃至１２のいずれかに記載の投写型表示装置。
【請求項１４】
前記制御手段は、前記ランプをオンする前、常に、前記タイマーＩＣから出力される時間データに基づいて前記ランプの温度が前記所定温度よりも高いか低いかの判定動作を行うことを特徴とする、請求項１０乃至１２のいずれかに記載の投写型表示装置。
【請求項１５】
前記制御手段は、前記タイマーＩＣから出力される時間データに基づいて、前記冷却手段による前記ランプの冷却時間を変化させることを特徴とする、請求項１０乃至１４のいずれかに記載の投写型表示装置。
【発明の詳細な説明】
【技術分野】
【０００１】
この発明は、投写型表示装置に関するものであり、特にランプの冷却制御技術に関するものである。
【背景技術】
【０００２】
近年、投写型表示装置に用いられるランプとして、主に放電ランプ（キセノンランプ、メタルハライドランプ、高圧水銀ランプ等）が使用されている。この種の放電ランプは、オフした後に再点灯する場合、ランプの温度が高いと、再点灯できないという欠点がある。
【０００３】
この改善策として、従来の投写型表示装置は、動作中に高温となるランプへの供給電力がオフされた後、次にオンされた時のランプ点灯動作をスムーズに行うために、一定時間冷却ファンを駆動してランプの冷却を行ってから、装置をオフする必要があった。例えば、この場合の冷却時間を短縮するために、ランプへの供給電源がオフされた後、ランプがオンの状態における冷却能力よりも高い能力で冷却を行うように構成される投写型表示装置が存在する（例えば、特許文献１参照。）。
【０００４】
【特許文献１】特開平４−５３９４３号公報
【発明の開示】
【発明が解決しようとする課題】
【０００５】
しかしながら、いかなる状況においても、投写型表示装置の使用後、ランプの冷却時間を確保することは難しい。例えば、停電や電源コードが抜ける等の不慮の事故によってオフとなった場合、または、急いで投写型表示装置を片付けなければならない場合には、投写型表示装置がオフとなった直後に必要な冷却時間が確保されないことがある。
【０００６】
上記のような場合でも、ランプがオフされた後、次に投写型表示装置のランプが点灯されるまでに十分な時間間隔があり、自然冷却によってランプが再点灯可能な温度まで下がっていればランプはスムーズに点灯する。しかし、ランプがオフされてから再点灯までの時間間隔が短く、ランプの温度が依然として高い状態にある場合には再点灯させることができない。
【０００７】
また、ランプを再点灯させることができない条件であるにもかかわらず、ランプに対して無理に高圧パルスを印加して起動させる行為は、パルスのノイズによる、回路の誤動作等、故障の原因となり、これによりランプを破損させる可能性があった。
【０００８】
本発明は、上記の課題を解決するためになされたものであり、ランプの電源がオフされた後の冷却時間を管理することにより、ランプの再点灯時に、ランプ温度に応じて冷却の必要性を判断し、ランプを劣化させることなく再点灯できる投写型表示装置を提供することをその目的とするものである。
【課題を解決するための手段】
【０００９】
上記目的を達成するため、本発明に係る投写型表示装置は、ランプから放射される光を変調して投写するように構成された投写型表示装置であって、前記ランプの冷却を行う冷却手段と、前記ランプへの供給電力がオフされてからの経過時間を管理する時間管理手段と、前記ランプをオフした後に再度オンする際に、前記時間管理手段の出力に基づいて、前記ランプの温度が所定温度よりも高い場合には、前記冷却手段によって前記ランプの冷却を行ってから前記ランプを点灯させ、前記ランプの温度が前記所定温度よりも低い場合には、前記ランプの点灯前に前記冷却手段による冷却を行うことなく前記ランプを点灯させる制御手段と、を備えて構成されている。
【発明の効果】
【００１０】
本発明に係る投写型表示装置によれば、いかなる場合でもランプを劣化させることなく次のランプ点灯を良好に行うことができる。
【発明を実施するための最良の形態】
【００１１】
実施の形態１．
図１は、実施の形態１における投写型表示装置１０の概略構成を示す図である。投写型表示装置１０の光学系は、光源１とライトバルブ２と投写レンズ３とを備えて構成される。光源１から放出される光は、ライトバルブ２において投写画像（映像）に対応して変調されることによって映像光を形成し、この映像光が投写レンズ３を介して投写されるようになっている。
【００１２】
光源１は、光を放射するランプ１１と、ランプ１１から放射した光を集光する反射鏡１２と、反射鏡１２の光出射開口側を覆う前面ガラス１３とを備えて構成される。ランプ１１としては、発光効率が高いこと、光学系を通して光利用効率が高い点光源に近い発光部を有すること、演色性が高いこと、及び、長寿命であることを考慮して、キセノンランプ、メタルハライドランプ、高圧水銀ランプ等の放電発光ランプが使用され、中でも、高圧水銀ランプを用いることがより好ましい。反射鏡１２は、ランプ１１に対向する内面（反射面）が放物面や楕円面の反射形状をなし、特に反射面にはアルミや銀等の金属膜、及び誘電体多層膜によるコーティングが施されて良好な反射特性を示すように形成される。前面ガラス１３は、ランプ１１の動作中、発光管１４内部が高圧となり、欠陥を持ったランプ１１が、最悪の場合、破裂に至ることもあり得るため、ランプ１１の破片が装置内部に散乱するのを防止するために、配置されるものである。
【００１３】
ライトバルブ２には、透過型あるいは反射型の液晶素子や、ミラーの傾きにより光を制御するＤＭＤ（デジタルマイクロミラーデバイス）等の光変調素子が配置され、該光変調素子に入力する映像信号に応じて、光源１から入射する光を変調するように構成される。光変調素子によって変調された光は、投写レンズ３によって拡大されて、光路前方に配置されるスクリーン４に投写される。これにより、スクリーン４には映像信号に応じた映像が投写されることになる。
【００１４】
また、光源１の近傍には光源１を冷却するためのファン５が設けられ、ランプ１１の点灯前、点灯時または点灯後において光源１を冷却するように構成されている。尚、光源１全体を冷却する場合を図示しているが、反射鏡１２の一部に穴を設け、この穴から風を送りこんで、ランプ１１あるいは最も高温となる発光管１４を冷却するように構成する場合もあり得る。
【００１５】
上記光学系及びファン５を制御するための制御系として、投写型表示装置１０は、メインスイッチ２１、電源部２２、制御部２３、ランプ制御部２４、ファン駆動部２５、操作部２６、時間管理部２７及び信号比較部２８を備えている。
【００１６】
メインスイッチ２１は、投写型表示装置１０に外部からの供給電力をオン／オフするスイッチであり、使用者によるオン／オフ操作が行われることによってスイッチ接点の開閉動作を行う。そしてメインスイッチ２１がオン状態になると、外部から供給される電力は電源部２２に与えられる。
【００１７】
電源部２２は、外部から供給される電力をＡＣからＤＣへ変換する平滑回路及び、制御部２３、ランプ制御部２４、ファン駆動部２５等の各種回路を動作させるのに必要な電圧に変換する電圧変換回路を備えている。また、電源部２２は、図１に示すように、第１の電源回路２２ａと第２の電源回路２２ｂとを備えて構成される。第１の電源回路２２ａは、メインスイッチ２１のオンとともに制御部２３に対して電力を供給し、信号比較部２８に対して所定の電圧Ｖ1を出力するように構成される。第２の電源回路２２ｂは、各回路に対して電力を供給するために各回路に接続されるスイッチング素子を備えており、メインスイッチ２１がオンとなり、かつ制御部２３から信号が与えられることによって、これらスイッチング素子が個別にオンし、各回路に対して必要な電力を供給するように構成される。例えば、第２の電源回路２２ｂには時間管理部２７に接続されるスイッチング素子２２２が設けられており、制御部２３からの信号によってスイッチング素子２２２がオンすると、時間管理部２７に対して所定の電圧Ｅを出力する。
【００１８】
制御部２３はマイクロコンピュータ（以下、マイコンという。）を備えて構成され、投写型表示装置１０に設けられる各回路を動作させるのみならず、各回路の時間的な制御及び動作状態を管理する機能を備えている。
【００１９】
制御部２３は、端子Ｌ１を介して操作部２６の機能スイッチ２６ａ等の操作状態を監視する。また、端子Ｌ２を介してランプ制御部２４に対し駆動信号を送出するととともに、端子Ｌ５を介してファン駆動部２５に対し駆動信号を送出するように構成される。また制御部２３は、第２の電源回路２２ｂに対して、時間管理部２７に印加する電圧Ｅをオン／オフ制御する所定の信号を端子Ｌ３から送出するように構成されるとともに、端子Ｌ４を介して信号比較部２８からＨ信号またはＬ信号を入力するように構成される。さらに、図示を省略するが、制御部２３は、投写型表示装置１０においてスクリーン４への映像投写が開始されると、ライトバルブ２に含まれる光変調素子に映像信号を送出することによって、スクリーン４に投写される映像の表示制御を行うようにも構成されている。
【００２０】
操作部２６は、メインスイッチ２１とは別に、投写型表示装置１０においてランプ１１の点灯／消灯を切り換える機能スイッチ２６ａの他、映像調整、機能設定等を操作するための各種スイッチ群を備えている。例えば、メインスイッチ２１をオンすることにより、制御部２３のマイコンは動作状態となるが、投写型表示装置１０において映像の投写動作が開始されるわけではなく、一度待機状態となる。そして操作部２６の機能スイッチ２６ａがオン状態に切り変えられることによって、制御部２３の電源制御で各回路に対して給電が開始されるとともに、制御部２３から各回路に動作信号が送られる。これにより、ランプ制御部２４を介してランプ１１が点灯し、ファン駆動部２５を介してファン５が回転してランプ１１の冷却を行う等、投写型表示装置１０の映像投写機能が有効に動作し始める。
【００２１】
投写型表示装置１０によって映像の投写動作が行われている時に、機能スイッチ２６ａがオフ状態になると、映像投写機能は停止し、ランプ１１は消灯する。そしてランプ消灯後、制御部２３がファン５を一定時間駆動させ、ランプ１１を冷却する。ただし、投写型表示装置１０によって映像の投写動作が行われている時に、機能スイッチ２６ａがオフされることなく、メインスイッチ２１がオフされた場合には、投写型表示装置１０において制御部２３やファン５を含む全ての回路が動作不能の状態になるため、ランプ１１消灯後のファン５による冷却は行われない。
【００２２】
時間管理部２７は、ランプ１１への供給電力が停止され、ランプ１１が消灯した後の経過時間を測るためのタイマー回路を備えている。このタイマー回路は、メインスイッチ２１がオフされ、外部から投写型表示装置１０への給電が停止した場合でも、そのタイマー機能が有効に動作するように構成される。
【００２３】
図２は、時間管理部２７における回路構成の一例を示す図である。時間管理部２７は、ダイオード３１とコンデンサ３２と抵抗３３とを備えて構成され、その入力端子は第２の電源回路２２ｂに接続され、出力端子は信号比較部２８に接続される。
【００２４】
第２の電源回路２２ｂに接続される制御部２３の出力端子Ｌ３は、制御部２３からのランプ制御部２４への出力端子Ｌ２と連動しており、ランプ１１が点灯する時に、第２の電源回路２２ｂにおいて時間管理部２７につながるスイッチング素子２２２がオンとなり、時間管理部２７に電圧Ｅが印加される。これにより、ランプ１１の点灯に同期して、時間管理部２７ではダイオード３１を介して、コンデンサ３２に電荷が充電される。
【００２５】
第２の電源回路２２ｂから時間管理部２７に印加される電圧をＥ、ダイオード３１の順方向電圧をＶFとすると、コンデンサ３２に充電される電圧Ｖ0は、
Ｖ0＝Ｅ−ＶF    ・・・（式１）
によって与えられる。
【００２６】
機能スイッチ２６ａのオフ、あるいは、メインスイッチ２１のオフによってランプ１１が消灯すると、それに連動して時間管理部２７への供給電圧が断ち切られ（すなわち、Ｅ＝０）、コンデンサ３２の蓄積電荷は、抵抗３３を介して徐々に放電されていく。コンデンサ３２の放電時間がランプ１１消灯後における発光管１４の自然冷却時間（放熱時間）と一致するように、静電容量及び抵抗値を選ぶことにより、時間管理部２７の出力端子から発光管１４の温度に相当する電圧が出力される。
【００２７】
尚、ダイオード３１は、コンデンサ３２の電荷が抵抗３３を介して放電中に、電荷が第２の電源回路２２ｂに逆流することを防止するために配置したものである。従って、抵抗３３に対して第２の電源回路２２ｂが高インピーダンスであれば、ダイオード３１は省略できる。この場合、（式１）は、
Ｖ0＝Ｅ    ・・・（式１ａ）
によって与えられる。
【００２８】
信号比較部２８は、投写型表示装置１０のメインスイッチ２１をオンした時に第１の電源回路２２ａを介して入力される電圧Ｖ1と、時間管理部２７より出力されるコンデンサ３２への蓄積電荷量に相当する電圧ＶCとの大小比較を行う回路を備えている。そして、ＶC≦Ｖ1であれば信号比較部２８からＬ信号が出力され、ＶC＞Ｖ1であれば信号比較部２８からＨ信号が出力されて、制御部２３の端子Ｌ４に入力する。
【００２９】
図３は、ランプ１１の発光管１４の温度と冷却時間との関係、及び時間管理部２７の出力電圧ＶCと電荷放電時間との関係を示す図である。投写型表示装置１０での映像投写中におけるランプ１１の発光管１４の温度は、非常に高温となり、発光管１４外壁面の最高温度Ｔ0は９００〜１０００℃にまで達する。メインスイッチ２１をオフして、ランプ１１への供給電力が断たれると、発光管１４の温度Ｔは、自然冷却（ファン５を駆動しない放熱のみによる冷却）によりほぼ自然対数的に低下していく。放電ランプの再点灯性は、発光管１４内部の気圧に関係しており、温度が高くて管内の気圧が高い場合、再点灯が不可能なため、次にランプ１１を点灯させるためには、一定温度（例えば温度Ｔ１）以下に冷えるまで時間をおく必要がある。一方、コンデンサ３２の放電もほぼ自然対数的な電圧減衰のカーブを描くため（図３のＶC）、ランプ１１が再点灯可能な温度になるまでの到達時間と、出力電圧ＶCが所定電圧Ｖ1に達するまでのコンデンサ３２の放電時間とを一致するように設計すれば、時間管理部２７の出力電圧ＶCにより、間接的に発光管１４の温度をほぼ正確に把握することができる。
【００３０】
時間管理部２７の出力電圧ＶCは、コンデンサ３２両端の電圧であり、コンデンサ３２の放電前の電圧をＶ0、ランプ１１の発光管１４がメインスイッチ２１オフ直後の温度Ｔ0から再点灯可能な温度Ｔ１に達する時間に対応するコンデンサ３２の出力電圧をＶ1とすると、コンデンサ３２の放電時間ｔは、コンデンサ３２の静電容量Ｃと抵抗３３の抵抗値Ｒとにより、
ｔ＝−ＣＲ ｌｎ(Ｖ1／Ｖ0)    ・・・（式２）
によって与えられる。
【００３１】
メインスイッチ２１をオンした時に、第１の電源回路２２ａからは放電時間の基準となる電圧Ｖ1が出力され、信号比較部２８において、時間管理部２７から出力される電圧ＶCと基準電圧Ｖ1との電圧値の大小比較が行われる。メインスイッチ２１がオフされてから再度オンされた時、ランプ１１の発光管１４の温度が再点灯可能な温度Ｔ１よりも低くなっていれば、ＶC≦Ｖ1となって信号比較部２８からＬ信号が出力され、再点灯可能な温度Ｔ１よりも高い状態のままであれば、ＶC＞Ｖ1となって信号比較部２８からＨ信号が出力されて、制御部２３の端子Ｌ４に入力される。
【００３２】
制御部２３の端子Ｌ４に入力される信号がＬ信号であれば、ランプ１１の発光管１４は点灯可能な温度となっているので、即時に操作部２６の機能スイッチ２６ａをオンしても、ランプ１１は正常に点灯する。そのため、制御部２３は端子Ｌ４にＬ信号を入力していれば、機能スイッチ２６ａがオンにされると、即時ランプ１１を点灯させて、投写型表示装置１０による映像投写動作を開始させる。
【００３３】
逆に、制御部２３の端子Ｌ４に入力される信号がＨ信号であれば、ランプ１１の発光管１４を点灯可能な温度にまで冷却しないと点灯させることができないため、制御部２３は、ランプ１１の発光管１４の温度を下げるために、まずファン駆動部２５に駆動信号を送りファン５を一定時間回転させてランプ１１の冷却を行う。そしてファン５による一定時間の冷却を行った後、制御部２３は機能スイッチ２６ａのオン操作に基づいてランプ１１を点灯させ、投写型表示装置１０による映像投写動作を開始させる。
【００３４】
したがって、投写型表示装置１０は、時間管理部２７、信号比較部２８及び制御部２３の機能によって、ランプ１１をオフした後に再度オンする時、発光管１４の温度が所定値よりも高いか低いかを判定し、発光管１４の温度が高いと判定した場合には、ファン５によるランプ１１の冷却を行ってから、ランプ１１を点灯する動作に入るように構成されている。また、発光管１４の温度が所定値よりも低いと判定した場合には、ファン５によるランプ１１の冷却を行うことなく、ランプ１１を即時点灯するように構成されている。この構成により、停電や電源コードが抜ける等の不慮の事故によってランプ消灯後に必要な冷却時間が確保されなかった場合でも、次回のランプ点灯前にランプ１１を十分に冷却してから点灯させるので、ランプ１１を劣化させることなく次のランプ点灯を良好に行うことができる。また、次回のランプ点灯時にランプが十分に冷却されていた場合は即時ランプ１１を点灯させることができ、スムーズなランプ点灯が可能である。
【００３５】
また、時間管理部２７のタイマー回路がコンデンサ３２と抵抗３３とを備えて構成され、コンデンサ３２の充放電によってタイマー機能が実現されることにより、メインスイッチ２１がオフしている間でもコンデンサ３２の放電作用によってタイマー機能が有効に動作するようになっている。そしてランプ１１の点灯に連動してコンデンサ３２の充電が開始されるとともに、ランプ１１の消灯に連動してコンデンサ３２の放電が開始されることにより、コンデンサ３２は発光管１４の温度変化にほぼ一致した充放電を行うことになる。
【００３６】
特に、コンデンサ３２の放電によってコンデンサ３２の出力電圧ＶCが所定値になる時間と、自然冷却によって発光管１４が再点灯可能な温度になる時間とを一致するように設定することにより、発光管１４の温度に対応する電圧ＶCを常時出力できるようになっている。このため、時間管理部２７の出力電圧ＶCによってランプ１１の温度を把握することができ、ランプ１１をオフした後に再度オンする時、発光管１４の温度が所定値よりも高いか低いかを正確に判定できる。
【００３７】
次に、上記のように構成された投写型表示装置１０の動作について説明する。図４は実施の形態１における制御部２３の動作を示す第１のフローチャートである。投写型表示装置１０によってスクリーン４に映像の投影を行う際、使用者はまず、メインスイッチ２１をオンして、制御部２３のマイコンを始動させる（ステップＳ１１）。
【００３８】
制御部２３のマイコンには、前回、投写型表示装置１０の終了状態の情報が格納されている。そのため、ステップＳ１２において制御部２３は、前回、操作部２６の機能スイッチ２６ａによる正常なオフがなされたのか、メインスイッチ２１によって投写型表示装置１０がオフされた（以下、「異常なオフ」という）のか、を診断する。異常なオフには、メインスイッチ２１によるオフ操作の他に、投写型表示装置１０の電源ケーブルが抜かれることによるオフや停電によるオフなど、機能スイッチ２６ａ以外の方法によって投写型表示装置１０がオフされたことを含む。操作部２６の機能スイッチ２６ａによるオフの場合、ランプ１１をオフした後にファン５を一定時間回転動作させ、発光管１４を再点灯可能な温度に下げてから、ファン５を停止して、正常にオフした情報が制御部２３のマイコンに格納される。逆に、メインスイッチ２１によってオフした場合や、操作部２６の機能スイッチ２６ａでオフしても、ファン冷却の途中にメインスイッチ２１をオフした場合は、ランプ１１が十分に冷却されていない、異常なオフ操作がなされたものとして、その旨の情報がマイコンに格納される。そして制御部２３は、正常なオフの場合はＹｅｓと判断してステップＳ１６に進み、操作部２６の機能スイッチ２６ａがオン操作されるのを待機する状態となる。これに対し、異常なオフの場合は、Ｎｏと判断してステップＳ１３に進む。
【００３９】
ステップＳ１３において制御部２３は時間管理部２７の状態を診断する。時間管理部２７の出力電圧ＶCが基準電圧Ｖ1以下であれば、信号比較部２８よりＬ信号が出力されているので、制御部２３は、発光管１４の温度が再点灯可能な温度まで冷却されていると判断して、ステップＳ１６に進み（ステップＳ１３にてＹｅｓ）、操作部２６の機能スイッチ２６ａがオン操作されるのを待機する状態となる。これに対し、時間管理部２７の出力電圧ＶCが基準電圧Ｖ1より大きければ、信号比較部２８よりＨ信号が出力されているので、制御部２３は、発光管１４の温度が再点灯可能な温度まで冷却されていないと診断してステップＳ１４に進む（ステップＳ１３にてＮｏ）。
【００４０】
ステップＳ１４では、制御部２３はファン駆動部２５に対して駆動信号を送出し、ファン５を一定時間回転駆動させることによって、発光管１４を再点灯可能な温度になるまで冷却する。そしてステップＳ１５の冷却完了後、ステップＳ１６に進み、操作部２６の機能スイッチ２６ａがオン操作されるのを待機する状態となる。
【００４１】
ステップＳ１７において、操作部２６の機能スイッチ２６ａがオン状態に操作されると、ステップＳ１８に進み、制御部２３はランプ１１を点灯させるとともに、ファン５を駆動させ、さらに光変調素子に対して映像信号を出力することによって、投写型表示装置１０における映像投写動作を開始させる。
【００４２】
図５は第１のフローチャートによる点灯シーケンスのタイミングチャートである。発光管１４の温度が低い状態からの立ち上げは、メインスイッチ２１のオン後、即時に操作部２６の機能スイッチ２６ａをオン操作可能な待機状態となる。そして操作部２６の機能スイッチ２６ａがオンされると、即時にランプ１１が点灯し、ファン５が回転して、投写型表示装置１０において映像投写動作が開始される。
【００４３】
これに対し、発光管１４の温度が高い状態からの立ち上げでは、メインスイッチ２１のオン後、まず、ファン５が動作し、発光管１４の温度が点灯可能な温度になるまで、一定時間の冷却が行われる。この期間、操作部２６の機能スイッチ２６ａはオン操作が不可能な状態にある。そして一定時間の冷却完了後、待機状態となって、機能スイッチ２６ａのオン操作が可能な状態になる。その後、機能スイッチ２６ａがオンされれば、それに応答して投写型表示装置１０における映像投写機能が動作する。
【００４４】
次に具体的な設計の一例について説明する。ランプ１１には２７０Ｗの高圧水銀ランプを使用した。２７０Ｗのランプ１１は発光管温度が３５０℃以下でほぼ１００％の再点灯が可能であった。操作部２６の機能スイッチ２６ａをオフしてランプ１１をオフし、その後ファン５によりランプ１１を冷却した場合、発光管１４は５０秒で３５０℃以下となる。メインスイッチ２１によりオフして、ランプ１１と同時にファン５をオフした場合、発光管１４の温度が自然冷却で３５０℃まで低下するのに要する時間は、２．５分以降であった。そのため、使用環境等によるランプ１１の自然冷却のバラツキ、コンデンサ３２や抵抗３３のバラツキを考慮して、ランプ１１の再点灯を禁止する時間を、約５分に設定した。
【００４５】
時間管理部２７、信号比較部２８に印加される電圧及び素子の乗数を、Ｅ＝５Ｖ、ＶF＝０．７Ｖ、Ｃ＝１０００μＦ、Ｒ＝２００ｋΩ、Ｖ1＝１Ｖと設定すれば、上記（式１）、（式２）より、放電時間ｔは２９１秒（約５分）と設定される。
【００４６】
この設計条件に従うと、各冷却条件及び温度管理時間は、機能スイッチ２６ａをオフした場合（正常なオフの場合）のランプ消灯後に行われる冷却ファン駆動時間が約１分、ランプオフ後の発光管温度管理時間（コンデンサ３２の放電時間）が約５分、発光管温度が高い時にメインスイッチ２１がオンされた場合のファン５による冷却時間が約１分、として設定される。そのため、異常なオフがあった場合、ランプ１１の消灯から約５分が経過していない時には、発光管１４の温度が高いものと判定されて、ランプ１１の再点灯前にファン５による冷却が約１分間行われる。
【００４７】
図６は実施の形態１における制御部２３の動作を示す第２のフローチャートである。このフローチャートにおいても、メインスイッチ２１がオンされた後、ステップＳ２１においてマイコンが起動する。第１のフローチャートと異なる点は、信号比較部２８からの出力信号に係わらず、まず待機状態となる点である（ステップＳ２２）。そして、操作部２６の機能スイッチ２６ａがオンされた後に（ステップＳ２３）、前回、正常なオフ操作が行われたか否かが判断され（ステップＳ２４）、正常なオフであった場合は、ステップＳ２８に進んでランプ１１を点灯させるとともに、ファン５を駆動させ、さらに光変調素子に対して映像信号を出力することによって、投写型表示装置１０における映像投写機能を動作させ、スクリーン４への映像投写を開始する。
【００４８】
一方、前回、異常なオフで停止していた場合は（ステップＳ２４にてＮｏ）、ステップＳ２５に進み、制御部２３は時間管理部２７の状態を診断する。時間管理部２７の出力電圧ＶCが基準電圧Ｖ1以下であれば、信号比較部２８よりＬ信号が出力されているので、制御部２３は、発光管１４の温度が再点灯可能な温度まで冷却されていると判断して、ステップＳ２８に進み（ステップＳ２５にてＹｅｓ）、ランプ１１を点灯させて、映像投写機能を動作させる。これに対し、時間管理部２７の出力電圧ＶCが基準電圧Ｖ1より大きければ、信号比較部２８よりＨ信号が出力されているので、制御部２３は、発光管１４の温度が再点灯可能な温度まで冷却されていないと診断してステップＳ２６に進む（ステップＳ２５にてＮｏ）。
【００４９】
ステップＳ２６では、制御部２３はファン駆動部２５に対して駆動信号を送出し、ファン５を一定時間回転駆動させることによって、発光管１４を再点灯可能な温度になるまで冷却する。そしてステップＳ２７の冷却完了後、ステップＳ２８に進み、ランプ１１を点灯させて、映像投写機能を動作させる。
【００５０】
図７は第２のフローチャートによる点灯シーケンスのタイミングチャートである。発光管１４の温度が低い状態からの立ち上げは、第１のフローチャートによる点灯シーケンス（図５）と同様である。発光管１４の温度が高い状態からの立ち上げは、操作部２６の機能スイッチ２６ａがオンされてから、ランプ１１の冷却を行い、一定時間の冷却完了後、自動的にランプ１１を点灯させる。
【００５１】
第１のフローチャートでは、発光管１４の温度が高い時、ファン５の冷却が停止するまで操作部２６の機能スイッチ２６ａをオンできなかったが、第２のフローチャートによれば、前回のオフが正常であるか、異常であるかにかかわらず、操作部２６の機能スイッチ２６ａをオンすることができ、スムーズにランプ１１を点灯させることができる。
【００５２】
図８は実施の形態１における制御部２３の動作を示す第３のフローチャートである。メインスイッチ２１がオンされた後、ステップＳ３１において制御部２３のマイコンが起動し、第１のフローチャートと同様に、異常なオフの場合であって（ステップＳ３２にてＮｏ）、かつ、時間管理部２７からの出力電圧が高い場合（ステップＳ３３にてＮｏ）に、ファン５が駆動されてランプ１１の冷却が行われる（ステップＳ３４）。第１のフローチャートと異なる点は、ファン５による冷却中でも、ステップＳ３５において操作部２６の機能スイッチ２６ａを受け付ける点であり、ここで操作部２６の機能スイッチ２６ａがオンされた場合（ステップＳ３５にてＹｅｓ）、ステップＳ３６，Ｓ４０に進み、ランプ１１の冷却完了後、自動的にランプ１１を点灯させてスクリーン４への映像投写を開始させる。
【００５３】
一方、ステップＳ３５にて機能スイッチ２６ａがオンされなかった場合には、ランプ１１の冷却完了後（ステップＳ３７）、操作部２６の機能スイッチ２６ａがオン操作されるのを待機する状態となる（ステップＳ３８）。そして操作部２６の機能スイッチ２６ａがオン状態に操作されると（ステップＳ３９）、ステップＳ４０に進み、ランプ１１を点灯させてスクリーン４への映像投写を開始させる。
【００５４】
図９は第３のフローチャートによる点灯シーケンスのタイミングチャートである。発光管１４の温度が低い状態からの立ち上げは、第１のフローチャートによる点灯シーケンス（図５）と同様である。発光管１４の温度が高い状態からの立ち上げは、まずファン５を駆動してランプ１１の冷却を開始するとともに、機能スイッチ２６ａの操作を受け付ける状態となる。そしてランプ１１の冷却中に操作部２６の機能スイッチ２６ａがオンされた場合には、メインスイッチ２１がオンされてから継続されている一定時間の冷却完了後、自動的にランプ１１を点灯させることになる。
【００５５】
第３のフローチャートによれば、発光管１４の温度が高い時、メインスイッチ２１がオンされるとランプ１１のファン冷却が開始され、機能スイッチ２６ａをランプ１１のファン冷却中に操作できるので、第２のフローチャートと比較すれば、機能スイッチ２６ａがオンされてからランプ１１がオンされるまでの時間を短縮できる。
【００５６】
以上のように、本実施の形態１の投写型表示装置１０は、メインスイッチ２１がオンされた時のランプ１１の温度状態を管理できるように構成されているので、発光管１４の温度状態に応じてランプ１１にファン冷却を施すことができる。具体的には、ランプ１１をオフした後、再度オンする時、時間管理部２７の出力に基づいて、発光管１４の温度が所定値よりも高いと判定された場合には、ファン５によるランプ１１の冷却を行ってから、機能スイッチ２６ａがオンされたことに基づくランプ１１の点灯動作に入り、発光管１４の温度が所定値よりも低いと判定された場合には、機能スイッチ２６ａがオンされた時にランプ１１を即時点灯する動作に入るようになっている。よって、ランプ１１を劣化させることなく、スムーズにランプ１１の再点灯を行うことができる。
【００５７】
また、上述した各フローチャートでは、ランプ１１を点灯させる前に、前回の終了動作が正常終了または異常終了のいずれであったかを判断し、異常終了であった場合に、時間管理部２７の出力に基づくランプ温度の判定を行うように構成されている。そのため、ランプ１１がオフされてから再点灯するまでの時間が短い場合であっても前回終了時にファン冷却が正常に行われていた場合には、速やかにランプ１１の再点灯を行うことができるので、スムーズにランプ１１の再点灯を行うことができる。
【００５８】
実施の形態２．
図１０は、実施の形態２における投写型表示装置１０ａの概略構成を示す図である。尚、図中、図１と同一符号で示されるものは、実施の形態１において説明したものと同一の機能を示す部材である。実施の形態１では、図１に示す如く、制御部２３からランプ制御部２４に出力される端子Ｌ２と、第２の電源回路２２ｂを介して時間管理部２７に出力される端子Ｌ３とを連動させている構成例を説明した。
【００５９】
本実施の形態２では、図１０のように、制御部２３からの出力端子Ｌ２をランプ制御部２４と時間管理部２７とに分岐して接続し、制御部２３がランプ制御部２４と時間管理部２７との双方を、端子Ｌ２への出力信号によって制御するように構成されている。すなわち、制御部２３がランプ１１を点灯させるためにランプ制御部２４に対して出力する駆動信号によって時間管理部２７における充電を開始させるように構成されている。そのため、制御部２３が端子Ｌ２からランプ１１を点灯させるために出力電圧Ｅの駆動信号を送出すれば、それによってランプ１１が点灯すると同時に時間管理部２７においてコンデンサ３２（図２参照）の充電が開始される。また、端子Ｌ２への電圧供給が断ち切られれば（すなわち、Ｅ＝０）、ランプ１１は消灯し、それと同時に時間管理部２７におけるコンデンサ３２の放電が開始される。尚、その他の構成については実施の形態１で説明したものと同様である。
【００６０】
上記のような構成により、投写型表示装置１０ａは実施の形態１と同様の効果を奏するとともに、制御部２３からの一つの出力信号によって、ランプ１１の点灯制御と、時間管理部２７の充放電制御との双方を同時に行うことができる。したがって、投写型表示装置１０ａでは、制御部２３がより直接的に、ランプ制御部２４と時間管理部２７との双方を制御でき、回路構成の簡略化を図ることができる。
【００６１】
尚、信号比較部２８への入力Ｖ1は、メインスイッチ２１をオンした時に電圧が供給される信号ラインに接続され、時間管理部２７への入力Ｅは、メインスイッチ２１をオンして投写型表示装置１０ａが待機状態（ランプ１１がオフ）の時には電圧が供給されず、操作部２６の機能スイッチ２６ａをオンしてランプ制御部２４が動作した時に供給される信号ラインに接続されるものであれば、実施の形態１、実施の形態２以外の構成を採用してもよい。
【００６２】
また、制御部２３の端子Ｌ２から供給できる電流容量が小さい場合は、時間管理部２７のコンデンサ３２を充電するのに長時間を要する。従って、この場合は、制御部２３のＬ２端子を、ランプ制御部２４との分岐後、電流容量の大きい経路（例えば電源部２２ｂのスイッチング素子２２２）を介して時間管理部２７の入力に接続することが望ましい。
【００６３】
実施の形態３．
図１１は、実施の形態３における投写型表示装置１０ｂの概略構成を示す図である。尚、図中、図１と同一符号で示されるものは、実施の形態１において説明したものと同一の機能を示す部材である。投写型表示装置１０ｂが、実施の形態１と異なる点は、操作部２６の機能スイッチ２６ａを取り除き、メインスイッチ２１のみで映像投写機能をオン／オフするように構成されている点である。その他の構成については実施の形態１で説明したものと同様である。
【００６４】
本実施の形態３においては、投写型表示装置１０ｂが機能スイッチ２６ａを有さないため、メインスイッチ２１がオフされることによってランプ１１が消灯した後は常にファン冷却が行われることなく、投写型表示装置１０ｂの全機能（時間管理部２７の機能を除く）が停止する。そして次の点灯のためにメインスイッチ２１をオン状態にして電力供給が開始されると、投写型表示装置１０ｂが起動する。この時、発光管１４の温度が低い場合は、即時にランプ１１を点灯して、投写型表示装置１０ｂの映像投写機能を動作開始させる。これに対して、発光管１４の温度が高い場合には、ファン５を駆動させてランプ１１を一定時間冷却させてから、ランプ１１を点灯し投写型表示装置１０ｂの映像投写機能を動作開始させる。
【００６５】
図１２は、実施の形態３における制御部２３の動作を示すフローチャートである。メインスイッチ２１をオンして、ステップＳ５１にて制御部２３のマイコンを始動させる。ステップＳ５２にて制御部２３は時間管理部２７の状態を診断する。時間管理部２７の出力電圧ＶCがＶ1以下であれば、信号比較部２８よりＬ信号が出力されているので、制御部２３は発光管１４の温度が再点灯可能な温度まで冷却されていると判断して、ステップＳ５５に進み、ランプ１１を点灯して投写型表示装置１０ｂによる映像投写機能を動作させる。一方、時間管理部２７の出力電圧ＶCがＶ1より大きければ、信号比較部２８よりＨ信号が出力されているので、制御部２３は発光管１４の温度が再点灯可能な温度まで冷却されていないと判断して、ステップＳ５３に進む。
【００６６】
ステップＳ５３において制御部２３はランプ１１を冷却するためにファン５を駆動して、ランプ１１が点灯可能な温度になるまでファン５によるランプ１１の一定時間の冷却を行う。そしてステップＳ５４のランプ冷却完了後、ステップＳ５５に進み、ランプ１１を点灯して投写型表示装置１０ｂによる映像投写機能を動作させる。
【００６７】
本実施の形態３によれば、投写型表示装置１０ｂにおいてランプ１１をオンする前、常に、時間管理部２７の出力電圧ＶCに基づいて発光管１４の温度が高いか低いかの判定動作が行われ、発光管１４の温度が高いと判定された場合にはファン５によるランプ１１の冷却を行ってからランプ１１を点灯させ、発光管１４の温度が低いと判定された場合にはランプ１１を即時点灯させるようになっている。そのため、投写型表示装置１０ｂの全機能を即時にオフすることができるので、速やかに片付けることができる。また、次のランプ点灯に際しても、実施の形態１及び２と同様、ランプ１１へのダメージが少ないスムーズな点灯が可能である。
【００６８】
実施の形態４．
図１３は、実施の形態４における投写型表示装置１０ｃの概略構成を示す図である。尚、図中、図１と同一符号で示されるものは、実施の形態１において説明したものと同一の機能を示す部材である。投写型表示装置１０ｃが投写型表示装置１０（実施の形態１）と異なる点は、信号比較部２８をＡ／Ｄ変換部２９に置き換えた点である。Ａ／Ｄ変換部２９は、時間管理部２７の出力に接続されている。その他の構成については実施の形態１で説明したものと同様である。但し、制御部２４のマイコンとして、Ａ／Ｄ変換機能を有する端子を備えたマイコンを採用し、その端子を時間管理部２７の出力に直接接続してもよい。この場合はＡ／Ｄ変換部２９の配設を省略できるので、回路構成の簡略化及びコストの低減を図ることができる。
【００６９】
上記実施の形態１〜３では、信号比較部２８から制御部２３に、Ｈ又はＬの信号が入力された。これに対し、本実施の形態４では、時間管理部２７から出力された電圧ＶCが、Ａ／Ｄ変換部２９によってディジタルデータＤに変換された後、制御部２３に入力される。制御部２３は、上記の（式２）に従って、Ａ／Ｄ変換部２９から入力されたディジタルデータＤに基づき、ランプ１１が消灯されてからの経過時間を求める。そして、求められた経過時間に応じて、ファン５によるランプ１１の冷却時間（以下「ファン駆動時間」と称する）を変化させる。つまり、制御部２３は、ディジタルデータＤに基づいて、再点灯可能温度（図３のＴ１）まで発光管１４を冷却するのに必要なファン駆動時間を求め、求められたその時間内ファン５を駆動させるよう、ファン駆動部２５を制御する。
【００７０】
ランプ１１が消灯されてからの経過時間が短い場合は、発光管１４の温度は高いため、ファン駆動時間は長く設定される。また、再点灯可能温度Ｔ１まで発光管１４を自然冷却するのに必要な時間（図３のｔｍ）は経過していないが、ある程度長い時間が経過している場合は、ファン駆動時間は短く設定される。さらに、再点灯可能温度Ｔ１まで発光管１４を自然冷却するのに必要な時間ｔｍが経過している場合は、ファン駆動時間はゼロに設定される。
【００７１】
一例として、ファン駆動時間とランプ１１が消灯されてからの経過時間との対応関係を記述した変換テーブルを予め作成して、制御部２３のマイコンに記憶しておく。そして、Ａ／Ｄ変換部２９からディジタルデータＤが入力されると、制御部２３が、ディジタルデータＤに基づいてランプ１１が消灯されてからの経過時間を算出し、その後、変換テーブルを参照してファン駆動時間を求める。
【００７２】
図１４は、変換テーブルの一例を示す図である。２７０Ｗの高圧水銀ランプを使用した場合、１００％の再点灯が可能なバルブ温度は３５０℃以下であった。ランプ１１をオフした後、自然冷却によってランプ１１を３５０℃まで冷却するのに要する時間は、２．５分であった。裕度を考慮して、３００℃まで冷却してから再点灯を行うものとした場合、ランプ１１をオフした後、自然冷却によってランプ１１を３００℃まで冷却するのに要する時間ｔｍは、３分である。ランプ１１をオフした後に１分間でランプ１１を３００℃まで冷却する能力を有するファン５を使用する場合、異常なオフ後の経過時間と、ランプ１１を３００℃まで冷却するためのファン駆動時間との関係は、図１４に例示した変換テーブルの通りとなる。
【００７３】
上記実施の形態１と同様に、制御部２３は、ランプ１１の前回のオフ状態を記憶しており、前回のオフが正常なオフである場合は、再度オンする時にランプ１１を即時点灯する。一方、前回のオフが異常なオフである場合は、再度オンする時に、上記の通りディジタルデータＤに基づいてファン駆動時間を可変に制御し、再点灯可能温度Ｔ１まで冷却してからランプ１１を点灯する。
【００７４】
あるいは上記実施の形態３と同様に、制御部２３は、再度オンする時、常に、上記の通りディジタルデータＤに基づいてファン駆動時間を可変に制御し、再点灯可能温度Ｔ１まで冷却してからランプ１１を点灯する。
【００７５】
尚、時間管理部２７への入力は、図１３に示したように電源部２２ｂからの入力Ｅに限らず、メインスイッチ２１をオンして投写型表示装置１０ｃが待機状態（ランプ１１がオフ）である時には時間管理部２７に電圧が供給されず、かつ、操作部２６の機能スイッチ２６ａをオンしてランプ制御部２４が動作している時には時間管理部２７に電圧が供給されるという条件を満たすものであれば、どのようなものであってもよい。そのような条件を満たすものであれば、上記実施の形態２において示したように、制御部２３からランプ制御部２４へと繋がる配線を分岐して時間管理部２７の入力に接続する構成でもよいし、それ以外の構成であってもよい。
【００７６】
このように本実施の形態４に係る投写型表示装置１０ｃによれば、ランプ１１が消灯されてからの経過時間に応じて、再点灯可能温度Ｔ１まで発光管１４を冷却するのに必要なファン駆動時間が適切に決定される。従って、ランプ１１を再点灯させる際にファン５によって過剰な冷却が行われることを回避できるため、投写型表示装置１０ｃの映像投写動作を早期に開始させることが可能となる。
【００７７】
実施の形態５．
図１５は、実施の形態５における投写型表示装置１０ｄの概略構成を示す図である。尚、図中、図１と同一符号で示されるものは、実施の形態１において説明したものと同一の機能を示す部材である。投写型表示装置１０ｄが投写型表示装置１０（実施の形態１）と異なる点は、信号比較部２８を取り除くとともに、時間管理部２７を時間管理部２７ａに置き換えた点である。時間管理部２７ａの出力は、制御部２３の端子Ｌ４に接続されている。その他の構成については実施の形態１で説明したものと同様である。
【００７８】
図１６は、時間管理部２７ａの構成を示すブロック図である。時間管理部２７ａは、タイマーＩＣ３４と、タイマーＩＣ３４の駆動電力を供給する電池３５とを備えている。これにより、メインスイッチ２１がオフされても、電池３５から供給される駆動電力によってタイマーＩＣ３４は動作する。電池３５は、マンガン電池やアルカリ電池のような使い捨て電池又は充電式電池である。但し、電池３５の代わりに、ある一定時間タイマーＩＣ３４を動作させることが可能な容量を持ったコンデンサを使用しても良い。
【００７９】
図１５を参照して、ランプ制御部２４へと繋がる制御部２３の端子Ｌ２と、電源部２２ｂのスイッチング素子２２２を介して時間管理部２７ａへと繋がる制御部２３の端子Ｌ３とは連動しており、ランプ１１がオフすると時間管理部２７ａへの入力Ｅが断たれて、図１６に示したタイマーＩＣ３４が時間のカウント動作を開始する。つまり、ランプ１１がオフした時点でタイマーＩＣ３４による時間のカウント動作が始まるように構成されている。
【００８０】
タイマーＩＣ３４は、ランプ１１がオフされて時間のカウント動作を開始した後、自然冷却によってランプ１１を再点灯可能温度Ｔ１まで冷却するのに要する時間ｔｍが経過するまでは、Ｈ信号を出力する。一方、時間ｔｍが経過した以降はＬ信号を出力する。
【００８１】
尚、タイマーＩＣ３４は時間ｔｍからゼロまでのカウントダウン式としても良く、ランプ１１がオフされてカウントダウン動作を開始した後、カウントダウン動作が行われている間はタイマーＩＣ３４よりＨ信号が出力され、時間がゼロになるとＬ信号が出力されるように構成されていても良い。
【００８２】
制御部２３は、ランプ１１をオフした後に再度オンする際に、タイマーＩＣ３４からＨ信号を入力している場合は、ランプ１１の温度が再点灯可能温度Ｔ１よりも高いと判定する。一方、タイマーＩＣ３４からＬ信号を入力している場合は、ランプ１１の温度が再点灯可能温度Ｔ１よりも低いと判定する。
【００８３】
上記実施の形態１と同様に、制御部２３は、ランプ１１の前回のオフ状態をマイコンに記憶しており、前回のオフが正常なオフである場合は、再度オンする時にランプ１１を即時点灯する。一方、前回のオフが異常なオフである場合は、再度オンする時、タイマーＩＣ３４からＨ信号が入力されていればファン５によって一定時間冷却してからランプ１１を点灯し、Ｌ信号が入力されていればランプ１１を即時点灯する。
【００８４】
あるいは上記実施の形態３と同様に、制御部２３は、ランプ１１を再度オンする前に、常に、タイマーＩＣ３４から入力される信号に基づいてランプ１１の温度が再点灯可能温度Ｔ１よりも高いか低いかの判定動作を行っても良い。
【００８５】
なお、以上の説明では、時間管理部２７ａから制御部２３へＨ信号又はＬ信号が入力されているが、上記実施の形態４と同様に、経過時間に関するディジタルデータＤを時間管理部２７ａから制御部２３のマイコンに入力しても良い。これにより、ファン５の回転時間をディジタルデータＤに基づき可変に制御することが可能となり、投写型表示装置１０ｄの映像投写動作を早期に開始させることが可能となる。
【００８６】
また、以上の説明では、制御部２３の端子Ｌ３から出力される信号が電源部２２ｂのスイッチング素子２２２を介して時間管理部２７ａに入力されているが、端子Ｌ３から時間管理部２７ａに直接入力する構成であっても良い。また、上記実施の形態２と同様に、制御部２３の端子Ｌ２から出力される信号を時間管理部２７ａに入力する構成であっても良い。
【００８７】
このように本実施の形態５に係る投写型表示装置１０ｄによれば、タイマーＩＣ３４によって時間を管理するため、コンデンサ３２及び抵抗３３によって構成された時間管理部２７（実施の形態１）に比べて、より正確に時間を管理することができる。また、図１に示した信号比較部２７を削除できるので、回路構成の簡素化を図ることができる。
【００８８】
変形例．
以上、本発明の実施の形態について説明したが、本発明は上述の内容に限定されるものではない。
【００８９】
例えば、実施の形態１〜５では、メインスイッチ２１が投写型表示装置に供給される外部からの電力をオン／オフするスイッチとしているが、このスイッチは投写型表示装置本体に設けられたものを指すだけでなく、投写型表示装置の電源コードの抜き差しがこのスイッチの代わりになっても構わないし、また、家屋のブレーカがこのスイッチになっていても構わない。
【産業上の利用可能性】
【００９０】
本発明の活用例として、液晶素子又はＤＭＤを使用した投写型表示装置のみならず、ＯＨＰ（オーバーヘッドプロジェクタ）、露光装置、ファイバースコープ等、放電ランプを使用した機器であれば本発明は適用可能である。
【図面の簡単な説明】
【００９１】
【図１】実施の形態１にかかる投写型表示装置の概略構成を示す図である。
【図２】時間管理部の一構成例を示す図である。
【図３】ランプの発光管温度と冷却時間との関係及び時間管理部の出力電圧と放電時間との関係を示す図である。
【図４】実施の形態１における制御部の動作を示す第１のフローチャートである。
【図５】第１のフローチャートによる点灯シーケンスのタイミングチャートである。
【図６】実施の形態１における制御部の動作を示す第２のフローチャートである。
【図７】第２のフローチャートによる点灯シーケンスのタイミングチャートである。
【図８】実施の形態１における制御部の動作を示す第３のフローチャートである。
【図９】第３のフローチャートによる点灯シーケンスのタイミングチャートである。
【図１０】実施の形態２にかかる投写型表示装置の概略構成を示す図である。
【図１１】実施の形態３にかかる投写型表示装置の概略構成を示す図である。
【図１２】実施の形態３における制御部の動作を示すフローチャートである。
【図１３】実施の形態４にかかる投写型表示装置の概略構成を示す図である。
【図１４】変換テーブルの一例を示す図である。
【図１５】実施の形態５にかかる投写型表示装置の概略構成を示す図である。
【図１６】実施の形態５における時間管理部の一構成例を示す図である。
【符号の説明】
【００９２】
１  ファン（冷却手段）、１０，１０ａ，１０ｂ，１０ｃ，１０ｄ  投写型表示装置、１１  ランプ、２３  制御部、２７，２７ａ  時間管理部（時間管理手段）、２８  信号比較部。
【図１】
2004348109.tif 000003
【図２】
2004348109.tif 000004
【図３】
2004348109.tif 000005
【図４】
2004348109.tif 000006
【図５】
2004348109.tif 000007
【図６】
2004348109.tif 000008
【図７】
2004348109.tif 000009
【図８】
2004348109.tif 000010
【図９】
2004348109.tif 000011
【図１０】
2004348109.tif 000012
【図１１】
2004348109.tif 000013
【図１２】
2004348109.tif 000014
【図１３】
2004348109.tif 000015
【図１４】
2004348109.tif 000016
【図１５】
2004348109.tif 000017
【図１６】
2004348109.tif 000018